(57)【要約】【課題】部分表示モードにおいて非表示領域の画素に印加されるＤＣ成分を小さくする。【解決手段】部分表示モードにおいて、非表示領域に属する走査線を少なくとも２行以上同時に選択するとともに、選択した走査線の各々に対し、選択電圧を、部分表示モードにおいて表示領域に属する走査線に選択電圧を印加する期間の総和よりも長く印加する。また、部分表示モードにおいて、非表示領域の走査線を選択するとき、共通電極と同じ電圧Ｖcomを、各データ線のそれぞれ印加する。【選択図】図７
2007171323.tif 000002
【特許請求の範囲】
【請求項１】
複数の走査線と複数のデータ線との各交差に対応して設けられる複数の画素であって、
各々は、一端が前記データ線に接続されたスイッチング素子と、
前記スイッチング素子の他端に接続された画素電極と、
前記画素電極に対向する共通電極と、
を含み、前記走査線に選択電圧が印加されたときに前記スイッチング素子が導通状態と
なる複数の画素を有する電気光学装置において、
前記複数の走査線のうち、表示に寄与するすべての走査線に対応する画素を表示状態と
する第１モードと、一部の走査線に対応した画素からなる第１領域を表示状態とする一方
、前記一部の走査線以外の走査線に対応した画素からなる第２領域を非表示とする第２モ
ードとを有し、
前記複数の走査線を所定の順番で選択し、
前記第１モードにていずれかの走査線を選択する場合、および、前記第２モードにて前
記第１領域の走査線を選択する場合、選択した走査線に対し、前記選択電圧を印加する一
方、
前記第２モードにて前記第２領域のいずれかの走査線を選択する場合、
当該第２領域に属する少なくとも２行以上の走査線に対して、前記選択電圧を同時に、
且つ前記第２モードにおいて前記第１領域に属する走査線に選択電圧を印加する期間の総
和以上に長く印加する走査線駆動回路と、
前記第１モードにていずれかの走査線が選択された場合、および、前記第２モードにて
前記第１領域の走査線が選択された場合、選択される走査線と前記データ線との交差に対
応する画素の階調に応じたデータ信号を、当該データ線に供給する一方、
前記第２モードにて前記第２領域の走査線が選択された場合、前記共通電極と同一電位
の電圧を前記複数のデータ線にそれぞれ供給するデータ線駆動回路と、
を具備することを特徴とする電気光学装置。
【請求項２】
前記データ線駆動回路は、
選択された走査線と前記データ線との交差に対応する画素の階調を指定する画像データ
を、当該階調に応じた電圧に変換する複数のＤ／Ａ変換回路を有し、
前記第１モードにていずれかの走査線が選択された場合、および、前記第２モードにて
前記第１領域の走査線が選択された場合、前記複数のＤ／Ａ変換回路による電圧変換動作
が許可される一方、
前記第２モードにて前記第２領域の走査線が選択された場合、前記複数のＤ／Ａ変換回
路による電圧変換動作が禁止される
ことを特徴とする請求項１に記載の電気光学装置。
【請求項３】
前記データ線駆動回路は、
選択された走査線と前記データ線との交差に対応する画素の階調に応じた電圧をバッフ
ァリングする複数のバッファ回路を有し、
前記第１モードにていずれかの走査線が選択された場合、および、前記第２モードにて
前記第１領域の走査線が選択された場合、前記複数のバッファ回路によるバッファリング
が許可される一方、
前記第２モードにて前記第２領域の走査線が選択された場合、前記複数のバッファ回路
によるバッファリングが禁止される
ことを特徴とする請求項１に記載の電気光学装置。
【請求項４】
相対的に低位電圧と高位電圧とを所定の周期毎に変化するコモン信号を前記共通電極に
印加するコモン信号生成回路を有し、
前記第１モードにていずれかの走査線が選択された場合、および、前記第２モードにて
前記第１領域の走査線が選択された場合、前記コモン信号生成回路による電圧変化が許可
される一方、
前記第２モードにて前記第２領域の走査線が選択された場合、前記コモン信号生成回路
による電圧変化が禁止される
ことを特徴とする請求項１に記載の電気光学装置。
【請求項５】
複数の走査線と複数のデータ線との各交差に対応して設けられた複数の画素であって、
各々は、一端が前記データ線に接続されたスイッチング素子と、
前記スイッチング素子の他端が接続された画素電極と、
前記画素電極に対向する共通電極と、
を含み、前記走査線に選択電圧が印加されたときに前記スイッチング素子が導通状態と
なる複数の画素を有する電気光学装置の駆動方法において、
前記複数の走査線のうち、表示に寄与するすべての走査線に対応する画素を表示状態と
する第１モードと、一部の走査線に対応した画素からなる第１領域を表示状態とする一方
、前記一部の走査線以外の走査線に対応した画素からなる第２領域を非表示とする第２モ
ードと、を有し、
前記複数の走査線を所定の順番で選択し、
前記第１モードにていずれかの走査線を選択する場合、および、前記第２モードにて前
記第１領域の走査線を選択する場合、選択した走査線に対し、前記選択電圧を印加し、
当該選択する走査線と前記データ線との交差に対応する画素の階調に応じたデータ信号
を、当該データ線に供給する一方、
前記第２モードにて前記第２領域のいずれかの走査線を選択する場合、
当該第２領域に属する少なくとも２行以上の走査線に対して前記選択電圧を同時に、且
つ前記第２モードにおいて前記第１領域に属する走査線に選択電圧を印加する期間の総和
以上に長く印加し、
前記共通電極と同一電位の電圧を前記複数のデータ線にそれぞれ供給する
ことを特徴とする電気光学装置の駆動方法。
【請求項６】
請求項１乃至４のいずれかに記載の電気光学装置を有することを特徴とする電子機器。
【発明の詳細な説明】
【技術分野】
【０００１】
本発明は、電気光学装置において低消費電力化を図るとともに、焼き付きやフリッカー
等の発生を抑える技術に関する。
【背景技術】
【０００２】
携帯電話やＰＤＡ（個人向情報端末）などの携帯型電子機器では、電池駆動が原則であ
るので、低消費電力であることの要求が強い。したがって、携帯型電子機器に用いられる
表示装置にも低消費電力であることの要求が強く求められている。このため、通常では全
画面表示とする一方、待機時などでは画面の一部領域だけを表示させ、他の領域を非表示
状態として、低消費電力化を図る試みがなされている。例えば待機時等において、非表示
状態の領域に属する走査線を選択したときに、データ信号の電圧を共通電極の電圧と同一
とする技術が提案されている（特許文献１参照）。
【特許文献１】特開２００１−２５５８５０号公報（図５参照）
【発明の開示】
【発明が解決しようとする課題】
【０００３】
しかしながら、薄膜トランジスタ（Thin Film Transistor：以下単に「ＴＦＴ」と略称
する）のようなスイッチング素子を用いたアクティブマトリクス方式では、当該スイッチ
ング素子がオフした瞬間にドレイン（画素電極）の電位がソース（データ線）の電位から
変動する現象が発生する。この現象は、一般にはフィールドスルーや、突き抜け、プッシ
ュダウンなどど呼ばれるが、以下においては「フィールドスルー」で統一する。
上記技術では、非表示状態の領域の画素電極には、フィールドスルーによって共通電極
の電位から変動した電圧が書き込まれてしまうので、液晶に印加される直流成分が無視で
きなくなり、いわゆる焼き付きやフリッカーが発生していしまう、という問題があった。
本発明は、このような問題に鑑みてなされたもので、その目的とするところは、待機時
などで画面の一部領域だけを表示させる場合に、非表示状態とさせる画素において、フィ
ールドスルーによる電圧変動に起因する直流成分の印加を無視できるようにして、上記焼
き付きやフリッカーを解消することが可能な電気光学装置、その駆動方法および電子機器
を提供することにある。
【課題を解決するための手段】
【０００４】
上記目的を達成するために、本発明は、複数の走査線と複数のデータ線との各交差に対
応して設けられる複数の画素であって、各々は、一端が前記データ線に接続されたスイッ
チング素子と、前記スイッチング素子の他端に接続された画素電極と、前記画素電極に対
向する共通電極と、を含み、前記走査線に選択電圧が印加されたときに前記スイッチング
素子が導通状態となる複数の画素を有する電気光学装置において、前記複数の走査線のう
ち、表示に寄与するすべての走査線に対応する画素を表示状態とする第１モードと、一部
の走査線に対応した画素からなる第１領域を表示状態とする一方、前記一部の走査線以外
の走査線に対応した画素からなる第２領域を非表示とする第２モードとを有し、前記複数
の走査線を所定の順番で選択し、前記第１モードにていずれかの走査線を選択する場合、
および、前記第２モードにて前記第１領域の走査線を選択する場合、選択した走査線に対
し、前記選択電圧を印加する一方、前記第２モードにて前記第２領域のいずれかの走査線
を選択する場合、当該第２領域に属する少なくとも２行以上の走査線に対して、前記選択
電圧を同時に、且つ前記第２モードにおいて前記第１領域に属する走査線に選択電圧を印
加する期間の総和以上に長く印加する走査線駆動回路と、前記第１モードにていずれかの
走査線が選択された場合、および、前記第２モードにて前記第１領域の走査線が選択され
た場合、選択される走査線と前記データ線との交差に対応する画素の階調に応じたデータ
信号を、当該データ線に供給する一方、前記第２モードにて前記第２領域の走査線が選択
された場合、前記共通電極と同一電位の電圧を前記複数のデータ線にそれぞれ供給するデ
ータ線駆動回路と、を具備することを特徴とする。本発明によれば、第２モードにて第２
領域を垂直走査するとき、第２領域に属する走査線を少なくとも２行以上同時に選択する
とともに、選択した走査線の各々に対し、選択電圧を、第２モードにおいて第１領域に属
する走査線に選択電圧を印加する期間の総和以上に長く印加するので、非表示状態とさせ
る画素において、フィールドスルーによる直流成分の印加が無視できるようになる。
【０００５】
本発明において、前記データ線駆動回路は、選択された走査線と前記データ線との交差
に対応する画素の階調を指定する画像データを、当該階調に応じた電圧に変換する複数の
Ｄ／Ａ変換回路を有し、前記第１モードにていずれかの走査線が選択された場合、および
、前記第２モードにて前記第１領域の走査線が選択された場合、前記複数のＤ／Ａ変換回
路による電圧変換動作が許可される一方、前記第２モードにて前記第２領域の走査線が選
択された場合、前記複数のＤ／Ａ変換回路による電圧変換動作が禁止される構成としても
良いし、選択された走査線と前記データ線との交差に対応する画素の階調に応じた電圧を
バッファリングする複数のバッファ回路を有し、前記第１モードにていずれかの走査線が
選択された場合、および、前記第２モードにて前記第１領域の走査線が選択された場合、
前記複数のバッファ回路によるバッファリングが許可される一方、前記第２モードにて前
記第２領域の走査線が選択された場合、前記複数のバッファ回路によるバッファリングが
禁止される構成としても良い。さらに、本発明において、相対的に低位電圧と高位電圧と
を所定の周期毎に変化するコモン信号を前記共通電極に印加するコモン信号生成回路を有
し、前記第１モードにていずれかの走査線が選択された場合、および、前記第２モードに
て前記第１領域の走査線が選択された場合、前記コモン信号生成回路による電圧変化が許
可される一方、前記第２モードにて前記第２領域の走査線が選択された場合、前記コモン
信号生成回路による電圧変化が禁止される構成としても良い。
なお、本発明は、電気光学装置のみならず、駆動方法や、当該電気光学装置を有する電
子機器としても概念することが可能である。
【発明を実施するための最良の形態】
【０００６】
以下、本発明の実施の形態について図面を参照して説明する。
【０００７】
＜電気光学装置の構成＞
図１は、この電気光学装置１０の構成を示すブロック図である。
この図に示されるように、電気光学装置１０は、表示領域１００、データ線駆動回路２
５０、走査線駆動回路３５０および走査制御回路４００を含む。このうち、表示領域１０
０では、１２行の走査線３１１が行（Ｘ）方向に延在する一方、１６列のデータ線２１１
が列（Ｙ）方向に延在するように、互いに電気的な絶縁を保ちつつ設けられている。そし
て、画素１２０が１２行の走査線３１１と１６列のデータ線２１１との交差に対応して、
それぞれ配列している。したがって、本実施形態では、画素１２０が縦１２行×横１６列
でマトリクス状に配列することになるが、本発明を、この配列に本発明を限定する趣旨で
はない。
【０００８】
ここで、画素１２０の詳細な構成について説明する。図２は、画素１２０の構成を示す
図であり、ｉ行及びこれに隣接する（ｉ＋１）行と、ｊ列及びこれに隣接する（ｊ＋１）
列との交差に対応する２×２の計４画素分の構成が示されている。なお、ｉ、（ｉ＋１）
は、画素１２０が配列する行を一般的に示すときの記号であって、１以上１２以下の整数
であり、ｊ、（ｊ＋１）は、画素１２０が配列する列を一般的に示すときの記号であって
、１以上１６以下の整数である。
【０００９】
図２に示されるように、各画素１２０は、液晶容量１３０と、スイッチング素子として
機能するｎチャネル型のＴＦＴ２４１とを有する。各画素１２０については互いに同一構
成なので、ｉ行ｊ列に位置するもので代表して説明すると、当該ｉ行ｊ列の画素１２０に
おいて、ＴＦＴ２４１のゲートはｉ行目の走査線３１１に接続される一方、そのソースは
ｊ列目のデータ線２１１に接続され、そのドレインは液晶容量１３０の一端たる画素電極
２３１に接続されている。
また、液晶容量１３０の他端は共通電極１１０である。この共通電極１１０は、全画素
１２０にわたって共通であって、本実施形態では、電圧が時間的に一定のコモン信号ＬＣ
comが印加される。
【００１０】
液晶容量１３０では、画素電極２３１と共通電極１１０との差電圧が保持されるととも
に、液晶容量１３０の透過（または反射）光量が、保持される電圧の実効値に応じて変化
する構成となっている。このような構成としては、特に詳述する必要もないと考えられる
が、画素電極と共通電極とで液晶を挟持して、液晶にかかる電界方向を基板面垂直方向と
した方式や、画素電極、絶縁層および共通電極とを積層して、液晶にかかる電界方向を基
板面水平方向とした方式などが挙げられる。
なお、本実施形態では説明の便宜上、液晶容量１３０において保持される電圧実効値が
ゼロに近ければ、光の透過率が最大となって白色表示になる一方、電圧実効値が大きくな
るにつれて透過する光量が減少して、ついには透過率が最小の黒色表示になるノーマリー
ホワイトモードとする。
【００１１】
説明を再び図１に戻すと、走査制御回路４００は、制御信号ＣntYや、表示指示信号Ｐt
lを出力することによって走査線駆動回路３５０を制御するとともに、ラッチパルスＬpや
極性指示信号Ｐol、表示指示信号Ｐt lを出力することによって、データ線駆動回路２５
０を制御するものである。このうち、走査線駆動回路３５０に供給される制御信号Ｃnty
は、クロック信号ＤsCk、ＹsCkや、転送開始パルスＤy、行指定信号Ｄspを総称したもの
であるが、詳細については後述する。また、データ線駆動回路２５０に供給されるラッチ
パルスＬp等についても後述する。
本実施形態では、動作モードとして、表示領域１００における１２行×１６列の画素１
２０のすべてを用いて表示を行う全画面表示モード（第１モード）と、特定の行に位置す
る画素だけを用いて表示を行い、他の行に位置する画素を非表示（オフ表示）とする部分
表示モード（第２モード）との２モードを有する。本実施形態では、ノーマリーホワイト
モードであるので、液晶容量１３０で保持される電圧の実効値がゼロである状態（オフ表
示）は白色となる。
表示指示信号Ｐtlは、詳細には後述するが、走査線駆動回路３５０において選択される
行を、非表示とする場合に、Ｌレベルとなる信号である。
また、極性指示信号Ｐolは、液晶容量１３０の書込極性を指定する信号であり、Ｈレベ
ルであれば、液晶容量１３０に対し画素電極２３１を高位側とする正極性書込を指定し、
Ｌレベルであれば、画素電極２３１を低位側とする負極性書込を指定する信号である。
【００１２】
＜走査線駆動回路＞
次に、走査線駆動回路３５０について説明する。走査線駆動回路３５０は、走査線３１
１を選択するとともに、各走査線に対して、選択と動作モードとに応じた電圧の走査信号
を供給するものである。図３は、本実施形態における走査線駆動回路３５０の構成を示す
ブロック図である。
この図に示されるように、走査線駆動回路３５０は、シフトレジスタ３６０、３７０と
、各行に対応して設けられたＡＮＤ回路３５２、ＯＲ回路３５４およびレベルシフタ（Ｌ
／Ｓ）３５６とを有する。
このうち、シフトレジスタ３６０は、ラッチ回路３６２を、走査線３１１の行数である
１２段縦続接続（前段の出力を次段の入力とする接続）したものであり、各ラッチ回路３
６２は、入力端Ｄに供給された信号を、クロック信号ＤsCkの立ち上がりによってラッチ
して出力端Ｑから出力するものである。なお、第１段目のラッチ回路３６２の入力端Ｄに
は、行指定信号Ｄspが供給される。
ＡＮＤ回路３５２は、対応する行のラッチ回路３６２における出力端Ｑから出力される
信号と表示指示信号Ｐtlとの論理積信号を出力する。
【００１３】
シフトレジスタ３７０は、ラッチ回路３７２を、１２段縦続接続したものであり、各ラ
ッチ回路３７２は、入力端Ｄに供給された信号を、クロック信号ＹsCkの立ち上がりによ
ってラッチして出力端Ｑから出力するものである。なお、第１段目のラッチ回路３７２の
入力端Ｄには、転送開始パルスＤyが供給される。
ＯＲ回路３５４は、対応する行のラッチ回路３７２の出力端Ｑから出力される信号と、
対応する行のＡＮＤ回路３５２による論理積信号との論理和信号を出力する。なお、レベ
ルシフタ３５６は、ＯＲ回路３５４による論理和信号を、ＴＦＴ２４１および液晶容量１
３０の駆動に適した高振幅論理信号に変換して、走査線３１１に走査信号として出力する
ものである。
なお、１、２、３、…、１２行目の走査線３１１に供給される走査信号を、それぞれＹ
1、Ｙ2、Ｙ3、…、Ｙ12と表記する。また、行を特定しないで走査信号を表記する場合に
は、上述した符号ｉを用いて、Ｙiと表記する。
【００１４】
＜データ線駆動回路＞
続いて、データ線駆動回路２５０について説明する。データ線駆動回路２５０は、走査
線駆動回路３５０によって選択された走査線３１１に位置する１行分の画素１２０に対し
、表示内容に応じた電圧のデータ信号を、データ線２１１を介して供給するものである。
【００１５】
図５は、データ線駆動回路２５０の構成を示すブロック図である。この図においてメモ
リ２５２は、縦１２行×横１６列の画素配列に対応した記憶領域を有し、各記憶領域は、
それぞれ対応する画素１２０の階調（明るさ）を指定する階調データＤaを記憶する一方
、ある１行の走査線３１１が選択される水平走査期間の開始時に、当該走査線に位置する
画素であって、１、２、３、…、１６列目までの１行分の階調データＤa1、Ｄa2、Da3、
…、Ｄa16がラッチパルスＬpによって読み出される構成となっている。
なお、表示内容が変更される場合、図示省略された上位回路から、書込アドレスととも
に変更後の階調値を指定する階調データＤaが供給されて、対応する領域に記憶された階
調データが書き換えられる構成となっている。
【００１６】
各列には、それぞれＤ／Ａ変換回路２５４、バッファ回路２５６およびスイッチ回路２
５８が設けられる。
このうち、Ｄ／Ａ変換回路２５４は、対応する列において読み出された階調データをア
ナログ電圧に変換するものであり、詳細には、表示指示信号ＰtlがＬレベルである場合で
あって、極性指示信号ＰolがＨレベルであるとき（正極性書込が指定されているとき）、
基準電位Ｖcを基準に当該階調データに応じた電圧だけ高位側に変換した電圧信号を出力
する一方、極性指示信号ＰolがＬレベルであるとき（負極性書込が指定されているとき）
、基準電位Ｖcを基準に当該階調データに応じた電圧だけ低位側に変換した電圧信号を出
力するものである。ただし、Ｄ／Ａ変換回路２５４における変換動作は、表示指示信号Ｐ
tlがＨレベルである場合には禁止される構成となっている。
なお、基準電位Ｖcは、データ信号の振幅基準であり、高振幅論理（ＶddH−Ｇnd）のほ
ぼ中間に設定される。また、共通電極１１０に印加されるコモン信号ＬＣcomの電圧Ｖcom
は、基準電位Ｖcよりも若干低位側に設定される。
【００１７】
バッファ回路２５６は、Ｄ／Ａ変換回路２５４により変換された電圧信号をバッファリ
ングして、すなわち低インピーダンス化するものである。なお、バッファ回路２５６にお
けるバッファリング動作は、表示指示信号ＰtlがＨレベルである場合には禁止される。
単極双投型のスイッチ回路２５８は、表示指示信号ＰtlがＬレベルであれば、実線で示
されるようにバッファ回路２５６の出力を選択する一方、表示指示信号ＰtlがＨレベルで
あれば、破線で示されるようにコモン信号ＬＣcomの給電線を選択して、それぞれ選択し
た信号を対応する列のデータ線２１１にデータ信号として供給するものである。
なお、１、２、３、…、１６列目のデータ線２１１に供給されるデータ信号を、それぞ
れＸ1、Ｘ2、Ｘ3、…、Ｘ16と表記する。また、列を特定しないでデータ信号を表記する
場合には、上述した符号ｊを用いて、Ｘjと表記する。
【００１８】
＜電気光学装置の動作＞
次に、上述した電気光学装置１０の動作について説明する。
【００１９】
＜全画面表示モード＞
走査線駆動回路３５０において、図４に示されるように、フレーム（垂直走査期間）の
開始時に転送開始パルスＤyが供給されると、１、２、３、…、１２段目のラッチ回路３
７２における出力端Ｑから出力される信号Ｑ1、Ｑ2、Ｑ3、…、Ｑ12は、転送開始パルス
Ｄyを、クロック信号ＹsCkが立ち上がる毎に順次シフトしたものとなるので、排他的にＨ
レベルとなる。これにより、信号Ｑ1、Ｑ2、Ｑ3、…、Ｑ12のうち、Ｈレベルとなった信
号に対応する行の走査線が選択されることになる。なお、信号Ｑ1、Ｑ2、Ｑ3、…、Ｑ12
は、レベルシフト前の低振幅論理であるので、Ｈレベルは、電圧ＶddLに相当する（ＶddL
＜ＶddH）。
【００２０】
表示指示信号Ｐtlは、全画面表示モードであればＬレベルに固定化される一方、部分表
示モードであれば、非表示とすべき領域の走査線３１１が選択される期間においてのみＨ
レベルとなり、他の期間においてＬレベルとなる。
このため、全画面表示モードである場合、ＡＮＤ回路３５２による論理積信号は、ラッ
チ回路３６２による出力信号と関係なくＬレベルになるので、１、２、３、…、１２段目
のラッチ回路３７２の出力端Ｑから出力される信号Ｑ1、Ｑ2、Ｑ3、…、Ｑ12の論理が、
そのまま走査信号Ｙ1、Ｙ2、Ｙ3、…、Ｙ12の論理となる。このため、図７に示されるよ
うに、走査信号Ｙ1、Ｙ2、Ｙ3、…、Ｙ12は、フレーム期間（Ｔf）にわたって、１行ずつ
走査線３１１が順番に水平走査期間（１Ｈ）毎に選択されるとともに、選択された走査線
３１１への走査信号をＨレベルに相当する電圧ＶddH（選択電圧）となり、それ以外の走
査線３１１への走査信号がＬレベルに相当する接地電位Ｇndとなる。
【００２１】
データ線駆動回路２５０では、表示指示信号ＰtlがＬレベルに固定化されるので、各列
のＤ／Ａ変換回路２５４およびバッファ回路２５６の動作が活性化されるとともに、スイ
ッチ回路２５８によってバッファ回路２５６の出力信号が選択される。
一方、極性指示信号Ｐolが、図７に示されるように走査線３１１が１行選択される毎に
極性反転するとともに、隣接するフレーム同士で同じ走査線３１１が選択される期間にお
いても極性反転する関係にある（行反転）。
ここで、走査線駆動回路３５０によってｉ行目の走査信号ＹiがＨレベルになるタイミ
ングにおいて、ラッチパルスＬpが出力されると、当該ｉ行目の走査線３１１に位置する
１〜１６列の画素１行分の階調データＤa1〜Ｄa16がメモリ２５２の記憶領域からそれぞ
れ読み出される。さらに、読み出された１行分の階調データＤa1〜Ｄa16は、各列のＤ／
Ａ変換回路２５４において、極性指示信号Ｐolで正極性書込が指定されていれば、電圧Ｖ
cを基準に、階調データＤa1〜Ｄa16で指定された電圧だけ高位側のアナログ信号に変換さ
れる一方、負極性書込が指定されていれば、電圧Ｖcを基準に、階調データＤa1〜Ｄa16で
指定された電圧だけ低位側のアナログ信号に変換されるとともに、それぞれ走査信号Ｙi
がＨレベルとなるのに合わせて、１、２、３、…、１６列目のデータ線２１１にデータ信
号Ｘ1、Ｘ2、Ｘ3、…、Ｘ16として一斉に供給される。
【００２２】
なお、図７は、列を特定しないで、ｊ列目のデータ信号Ｘjおける電圧波形の例を示し
ている。
このデータ信号Ｘjでは、正極性書込が指定されていれば、白色に相当する電圧Ｖw(+)
から黒色に相当する電圧Ｖb(+)までの範囲（ハッチングを付した範囲）のうち、選択され
る行とｊ列との交差に対応する階調データに応じた電圧となる一方、負極性書込が指定さ
れていれば、白色に相当する電圧Ｖw(-)から黒色に相当する電圧Ｖb(-)までの範囲（ハッ
チングを付した範囲）のうち、選択される行とｊ列との交差に対応する階調データに応じ
た電圧となる。ここで、正極性書込における電圧Ｖw(+)、Ｖb(+)と、負極性書込における
電圧Ｖw(-)、Ｖb(-)は、それぞれ基準電位Ｖcを中心に互いに対称の関係にある。
【００２３】
さて、全画面表示モードにおいて、ｉ行目の走査信号ＹiがＨレベルになると、当該ｉ
行目の画素１２０におけるＴＦＴ２４１がオン状態となるので、例えば当該ｉ行目であっ
てｊ列目に位置する画素電極２３１には、データ信号Ｘjが印加される。このため、当該
ｉ行ｊ列の画素１２０は、データ信号Ｘjの電圧に応じた階調、すなわち、当該ｉ行ｊ列
の画素に対応する階調データＤajで指定された階調となる。走査信号ＹiがＬレベルにな
ると、当該ｉ行目の画素１２０におけるＴＦＴ２４１がオフ状態となるが、書き込まれた
電圧は液晶容量１３０において保持されることになる。
このような画素電極２３１へのデータ信号の印加（画素への書き込み）は、当該ｉ行目
の１〜１６列の画素について同時並行的に実行される。
さらに、全画面表示モードでは、画素への書き込みが、１、２、３、…、１２行目に対
して順番に実行される結果、１フレームの期間において、目的とする１枚の画像が表示さ
れることになる。
【００２４】
＜部分表示モード＞
次に、電気光学装置１０において、部分表示モードの動作について説明する。
動作モードが部分表示モードである場合、表示指示信号Ｐtlは、非表示とすべき領域の
走査線３１１が選択される期間においてのみＨレベルとなり、他の期間においてＬレベル
となる。
ここで例えば部分表示モードにおいて、図６に示されるように、５〜８行目の画素を表
示させ、１〜４行目および９〜１２行目の画素を非表示とする場合、表示指示信号Ｐtlは
、図７に示されるように、非表示領域にかかる１〜４行目の走査線が選択される期間にわ
たってＨレベルとなり、表示領域にかかる５〜９行目の走査線が選択される期間にわたっ
てＨレベルとなり、非表示領域にかかる９〜１２行目の走査線が選択される期間にわたっ
て再びＬレベルとなる。
【００２５】
また、本実施形態では、実際に部分表示モードとする前に、シフトレジスタ３６０にお
ける各段のラッチ回路３６２において、対応する行を表示させるときには「０」（Ｌレベ
ル）が、非表示とさせるときには「１」（Ｈレベル）が、それぞれ書き込まれる。この書
き込み動作について詳述すると、例えば電源投入直後や全画面表示モードの実行中など、
部分表示モード以外の場合において、部分表示モードと仮定したときに走査線の行を表示
させるか、非表示とさせるかを示す行指定信号Ｄspが、１２、１１、１０、…、３、２、
１行目という逆の順番で、クロック信号ＤsCkの１２周期分に同期して供給される。した
がって、図６に示されるように表示／非表示が規定される場合では、１〜４段目および９
〜１２段目のラッチ回路３６２の出力端ＱにはＨレベルが、５〜９段目のラッチ回路３６
２の出力端ＱにはＬレベルが、それぞれ保持されることになる。
なお、部分表示モードにおいて、表示／非表示とさせる領域を変更する場合には、その
都度、変更後の行指定信号Ｄspが、１２周期分のクロック信号ＤsCkとともに供給される
。
【００２６】
部分表示モードである場合でも、全画面表示モードと同様に、転送開始パルスＤyおよ
びクロック信号ＹsCkが供給されるので、各段のラッチ回路３７２における出力端Ｑから
出力される信号Ｑ1、Ｑ2、Ｑ3、…、Ｑ12は、同一である。
ただし、部分表示モードにおいて、非表示とすべき走査線が選択される期間では、表示
指示信号ＰtlがＨレベルとなるので、ＡＮＤ回路３５２による論理積信号は、ラッチ回路
３６２による出力信号に依存する。ここで、ラッチ回路３６２に保持された信号は、非表
示とすべき行に対応するラッチ回路３６２で保持される信号がＨレベルであり、表示すべ
き行に対応するラッチ回路３６２の出力信号がＬレベルである。このため、部分表示モー
ドである場合に、非表示とすべき領域の走査線３１１が選択される期間では、非表示とす
べき行のＡＮＤ回路３５２の論理積信号がＨレベルとなり、表示すべき行のＡＮＤ回路３
５２の論理積信号がＬレベルとなる。ここで、部分表示モードである場合に、非表示とす
べき領域の走査線３１１が選択される期間では、表示すべき行のラッチ回路３７２の出力
端Ｑに保持された信号がＨレベルとなるのは論理的にあり得ない。
したがって、部分表示モードである場合に、非表示とすべき領域の走査線３１１のいず
れかが選択される期間では、非表示とすべき走査線に対応する走査信号のすべてがＨレベ
ルとなり、表示すべき走査線に対応する走査信号はＬレベルとなる。
一方、部分表示モードにおいて、表示すべき走査線が選択される期間では、表示指示信
号ＰtlがＬレベルとなるので、全画面表示モードと同様な動作となる。すなわち、選択さ
れた走査線に対応する走査信号だけがＨレベルとなり、選択されていない他の走査線に対
応する走査信号はＬレベルとなる。
このため、部分表示モードにおいて、図６に示されるように表示／非表示領域が規定さ
れる場合、図７に示されるように、第１に、１〜４行目の走査線が選択される期間では、
走査信号Ｙ1〜Ｙ4およびＹ9〜Ｙ12が同時にＨレベルとなり、走査信号Ｙ5〜Ｙ8がＬレベ
ルとなり、第２に、５〜９行目の走査線が選択される期間では、走査信号Ｙ5、Ｙ6、Ｙ7
、Ｙ8が順番に排他的にＨレベルとなり、走査信号Ｙ1〜Ｙ4およびＹ9〜Ｙ12がＬレベルと
なり、第３に、９〜１２行目の走査線が選択される期間では、再び走査信号Ｙ1〜Ｙ4およ
びＹ9〜Ｙ12が同時にＨレベルとなり、走査信号Ｙ5〜Ｙ8がＬレベルとなる。
【００２７】
データ線駆動回路２５０において、部分表示モードである場合に、表示指示信号Ｐtlが
Ｈレベルになる期間では、各列のＤ／Ａ変換回路２５４およびバッファ回路２５６の動作
が禁止されるとともに、スイッチ回路２５８によってコモン信号ＬＣcomの給電線が選択
されるので、データ信号Ｘ1、Ｘ2、Ｘ3、…、Ｘ16は、図７に示されるように、すべてコ
モン信号ＬＣcomの電圧であるＶcomとなる。一方、表示指示信号ＰtlがＬレベルになる期
間では、各列のＤ／Ａ変換回路２５４およびバッファ回路２５６が活性化されるとともに
、スイッチ回路２５８によってバッファ回路２５６の出力が選択される。このため、デー
タ信号Ｘ1、Ｘ2、Ｘ3、…、Ｘ16は、同図に示されるように、極性指示信号Ｐolで正極性
書込が指定されていれば、電圧Ｖcを基準に、階調データＤa1〜Ｄa16で指定された電圧だ
け高位側のアナログ信号となり、負極性書込が指定されていれば、電圧Ｖcを基準に、階
調データＤa1〜Ｄa16で指定された電圧だけ低位側のアナログ信号となる。
【００２８】
したがって、部分表示モードにおいて、非表示領域にかかる走査線のいずれかが選択さ
れる（表示指示信号ＰtlがＨレベルである）期間では、当該非表示領域にかかる走査線へ
の走査信号がすべてＨレベルとなるので、非表示領域における画素電極２３１は、共通電
極１１０と同じ電圧Ｖcomに保たれる。
一方、部分表示モードにおいて、表示領域にかかる走査線が選択される（表示指示信号
ＰtlがＬレベルである）期間では、当該選択される走査線に位置する画素１２０において
は、全画面表示モードと同様に、階調データで指定された階調に応じた電圧が書き込まれ
ることになる。
なお、部分表示モードにおいて、非表示領域にかかる走査線のいずれかが選択される期
間では、表示領域にかかる走査線への走査信号はＬレベルであるので、画素１２０におけ
る電圧の書き込みに影響を与えることはない。
【００２９】
本実施形態において、共通電極１１０に印加する電圧を、極性反転の基準である電位Ｖ
cに等しい電圧ではなく、それよりも若干低位の電圧Ｖcomとしていたが、その理由は、上
述したようにフィールドスルーのためである。すなわち、ＴＦＴ２４１では、ゲート・ド
レイン間の寄生容量に起因して、オンからオフ時にドレイン（画素電極２３１）の電位が
低下する現象が発生する。液晶の劣化を防止するため、液晶容量１３０に対しては交流駆
動が原則であるが、電圧Ｖcomを極性反転の基準電位Ｖcに一致させて、交互書き込みをす
ると、フィールドスルーのために、液晶容量１３０の電圧実効値は、負極性書込の方が正
極性書込よりも若干大きくなってしまう。そこで、同一階調で正極性・負極性書込をして
も液晶容量１３０の電圧実効値が互いに等しくなるように、共通電極１１０に印加する電
圧Ｖcomを、極性反転の基準電位Ｖcよりも若干低位に設定しているのである。
【００３０】
本実施形態では、さらに、部分表示モードにおいて、非表示領域にかかる走査線のいず
れかが選択される期間にわたって、当該非表示領域にかかる走査線への走査信号がすべて
Ｈレベルとなるとともに、データ信号がすべて電圧Ｖcomとなる。
このため、部分表示モードにおいて、図６に示されるように表示／非表示領域が規定さ
れる場合、当該非表示領域の画素電極２３１の電圧Ｖpixは、図８に示されるように変化
する。すなわち、非表示領域の画素電極２３１の電圧Ｖpixは、１〜４行目の走査線３１
１が選択される４水平走査期間では、共通電極１１０と同じ電圧Ｖcomとなり、表示領域
にかかる５〜９行目の走査線３１１が選択される期間Ｔaにわたって、当該非表示領域に
対応する走査信号がＬレベルに変化することに伴うフィールドスルーによって電圧Ｖcom
から電圧ΔＶだけ低下するが、再び、９〜１２行目の走査線３１１が選択される４水平走
査期間では、共通電極１１０と同じ電圧Ｖcomとなる。結局、本実施形態において、図６
に示されるように表示／非表示領域が規定される場合、当該非表示領域の画素電極２３１
の電圧Ｖpixは、計８水平走査期間（Ｔf−Ｔa）にわたって、共通電極１１０と同じ電圧
Ｖcomに保たれることになる。
【００３１】
ここで、背景技術で述べた構成、すなわち、図１４に示されるように、走査信号を、全
画面表示モードと部分表示モードとにおいて共通化するとともに、データ信号を、部分表
示モードにおいて非表示領域の走査線が選択されたときに共通電極１１０と同じ電圧Ｖco
mを印加する構成を対比構成として想定する。この対比構成では、図１５に示されるよう
に、非表示領域の画素電極の電圧Ｖpixが、電圧Ｖcomとなるのは、対応する走査線であっ
て、当該非表示領域に属する走査線が選択される期間Ｔb、すなわち１水平走査期間（１
Ｈ）だけに限られ、それ以外の期間では、フィールドスルーによって電圧Ｖcomから電圧
ΔＶだけ低下した電圧となってしまう。このため、対比構成では、部分表示モードの場合
に、非表示領域の画素電極では、期間（Ｔf−Ｔb）にわたって電圧Ｖcomからシフトした
電圧となってしまうので、液晶容量１３０に対する直流成分の印加が無視できなくなって
、劣化やフリッカー、焼き付き等の原因となってしまう。
【００３２】
これに対し、本実施形態では、部分表示モードにおいて、非表示領域の画素における液
晶容量１３０には、フレームの期間Ｔfでは、平均して（Ｔa／Ｔf）・ΔＶの直流成分が
印加されるだけで済む。特に、本実施形態のように、フレーム期間において、当該非表示
領域の画素電極２３１の電圧Ｖpixが共通電極１１０と同じ電圧Ｖcomとなる期間（Ｔf−
Ｔa）を、表示領域にかかる走査線が選択される期間の総和よりも長くなるように設定す
ると、対比構成と比較して、電圧Ｖcomから電圧ΔＶだけ低下してしまう期間が十分に短
くなる結果、液晶容量１３０に印加される直流成分を無視できる程度に小さくすることが
可能となる。
【００３３】
さらに、本実施形態では、部分表示モードにおいて非表示領域の走査線が選択される期
間では、各列のＤ／Ａ変換回路２５４およびバッファ回路２５６の動作が禁止されるので
、これらの回路によって消費される電力が抑えられて、その分、低消費電力化を図ること
が可能となる。
【００３４】
なお、上述した実施形態にあっては、共通電極１１０の電圧Ｖcomを、書込極性とは無
関係に時間変化に対して一定としたが、極性指示信号Ｐolで指定される極性にあわせて変
化させる構成としても良い。
この構成について詳述すると、図９に示されるように極性指示信号Ｐolおよび表示指示
信号Ｐtlにしたがって、コモン信号ＬＣcomの電圧を変化させるコモン信号生成回路５０
０を設ける構成としても良い。
ここで、コモン信号生成回路５００は、コモン信号ＬＣcomの電圧を、極性指示信号Ｐo
lがＨレベルとなって正極性書込が指定されていれば低位側の電圧ＣomLとし、極性指示信
号ＰolがＬレベルとなって負極性書込が指定されていれば高位側の電圧ＣomHとするが、
部分表示モードにおいて表示指示信号ＰtlがＨレベルとなったときは、その直前において
極性指示信号Ｐolの論理レベルに応じた電圧で固定化する。なお、電圧ＣomH、ＣomLは、
互いに電位Ｖcを基準に対称の関係である。
次に、データ線駆動回路２５０におけるＤ／Ａ変換回路２５４について、極性指示信号
ＰolがＨレベルであるとき、電圧ＣomLを基準に階調データに応じた電圧だけ高位側に変
換した電圧信号を出力する一方、極性指示信号ＰolがＬレベルであるとき電圧ＣomHを基
準に階調データに応じた電圧だけ低位側に変換した電圧信号を出力するように構成する。
なお、このときに、Ｄ／Ａ変換回路２５４における変換動作は、表示指示信号ＰtlがＨレ
ベルである場合には禁止される構成とするのは、上述した実施形態と同様である。
【００３５】
このような構成においても、液晶容量１３０に印加される直流成分を無視できる程度に
小さくすることが可能となる。さらに、Ｄ／Ａ変換回路２５４による電圧振幅が、コモン
信号を書込極性に応じて電圧ＣomL、ＣomHに切り替える結果、図１０に示されるように、
実施形態と比較して半分程度に抑えられる。このため、Ｄ／Ａ変換回路２５４による耐圧
が小さくて済むの、その分、構成の簡易化を図ることも可能となる。
【００３６】
また、図３に示した走査線駆動回路３５０の構成は、あくまでも一例であり、このほか
にも、図１１に示されるような構成も適用可能である。
ここで、図１１に示した走査線駆動回路３５０は、シフトレジスタ３６０、各列のＡＮ
Ｄ回路３５２、ＯＲ回路３５４およびレベルシフタ３５６については図３と共通であるが
、シフトレジスタ３７０の内部構成および各行にＡＮＤ回路３８２を有する点において、
図３と相違する。
そこで、これら相違点を中心に説明すると、１行目のＡＮＤ回路３８２は、転送開始パ
ルスＤyと、１行目に対応するＡＮＤ回路３５２による論理積信号の否定信号との論理積
を求め、２行目の以降のＡＮＤ回路３８２は、転送開始パルスＤyと、表示指示信号Ｐtl
と、対応する行のラッチ回路３６２の入力端Ｄへの入力信号（対応する行の１つ前のラッ
チ回路３６２における出力端Ｑからの出力信号）と、対応する行のラッチ回路３６２の出
力端Ｑからの出力信号（対応する行の１つ後のラッチ回路３６２における入力端Ｄへの入
力信号）の否定信号と、の論理積信号を求める。
シフトレジスタ３７０においては、各行に対応して１２段のラッチ回路３７２を有する
が、１段目のラッチ回路３７２の入力端Ｄには１行目のＡＮＤ回路３８２の出力信号が供
給され、２段目以降のラッチ回路３７２の入力端Ｄには、ＯＲ回路３８４による論理和信
号が供給される。ここで、２行目以降の各行に対応するＯＲ回路３８４は、対応する行の
ＡＮＤ回路３８２による論理積信号と、対応する行の１つ前のラッチ回路３６２における
出力端Ｑからの出力信号との論理和信号を求める。
【００３７】
この構成の走査線駆動回路３５０において、部分表示モードとするとき、図１２に示さ
れるように、表示領域にかかる走査線が選択されるタイミングで転送開始パルスＤyが供
給されるとともに、表示領域にかかる走査線の連続数プラス１行分のクロック信号ＹsCk
が供給される。
ここで、部分表示モードにおいて、非表示領域の走査線に対応する行のラッチ回路３６
２で保持される信号はＨレベルであり、表示領域の走査線に対応する行のラッチ回路３６
２で保持される信号はＬレベルであり、さらに、表示領域にかかる走査線が選択されるタ
イミングで転送開始パルスＤyが供給される。このため、図１２に示されるように、表示
領域の走査線のうち、最初に部分表示を行う走査線の行に対応するＡＮＤ回路３８２によ
る論理積信号が、表示指定信号ＰtlがＨレベルからＬレベルに変化する直前にＨレベルと
なって、これが当該行のラッチ回路３７２の入力端Ｄに供給されて、クロック信号ＹsCk
によって順次シフトされることになる。なお、図１２で示される波形例においても、部分
表示モードにおいて、図６に示されるように表示／非表示領域を規定する場合を示してい
る。
【００３８】
図１２に示される走査線駆動回路３５０では、部分表示モードにおいて、表示領域にか
かる走査線を選択する期間に応じてクロック信号ＹsCkを供給すれば良いので、当該クロ
ック信号ＹsCkを供給する信号線に寄生する容量によって無駄に消費される電力を抑える
ことができるので、その分、低消費電力化を図ることが可能となる。
【００３９】
なお、上述した実施形態等では、部分表示モードにおいて非表示領域にかかる走査線が
選択されたとき、非表示領域にかかる走査線のすべてにＨレベルとなる走査信号を供給し
たが、非表示領域にかかる走査線にＨレベルとなる走査信号を印加する期間が表示領域に
かかる走査線にＨレベルの走査信号を供給する期間の総和以上となることを条件として、
非表示領域にかかる走査線を２以上のグループに分けて、各グループの走査線にＨレベル
の走査信号を供給するようにしても良い。
例えば、図６に示されるように表示／非表示領域が規定される場合、第１に、１〜４行
目の走査線が選択される期間では、走査信号Ｙ1〜Ｙ4を同時にＨレベルとし、走査信号Ｙ
5〜Ｙ12をＬレベルとし、第２に、５〜９行目の走査線が選択される期間では、走査信号
Ｙ5、Ｙ6、Ｙ7、Ｙ8が順番に排他的にＨレベルとし、走査信号Ｙ1〜Ｙ4およびＹ9〜Ｙ12
をＬレベルとし、第３に、９〜１２行目の走査線が選択される期間では、走査信号Ｙ1〜
Ｙ8をＬレベルとし、走査信号Ｙ9〜Ｙ12をＨレベルとしても良い。
【００４０】
また、上述した実施形態等では、Ｄ／Ａ変換回路２５４が階調データを極性指示信号Ｐ
olで指定された書込極性に応じた電圧に変換する構成としたが、Ｄ／Ａ変換回路２５４は
、電位Ｖcを基準に階調データに応じた電圧に変換するのみとし、バッファ回路２５６が
極性指示信号Ｐolで指定された書込極性に応じて電位Ｖcを基準に正転・反転としてバッ
ファリングする構成としても良い。この構成においても、表示指示信号ＰtlがＨレベルで
あるときに、Ｄ／Ａ変換回路２５４およびバッファ回路２５６の動作が禁止される。
【００４１】
上述した実施形態では、書込極性を走査線毎に反転する行反転としたが、その理由は、
液晶容量１３０において直流成分の印加を防止するために過ぎないので、その反転方式は
、面反転や列反転、ドット反転など任意である。また、液晶容量１３０に対し１フレーム
毎に書込極性を反転させたが、２フレーム以上の周期で書込極性を反転する構成としても
良い。
また、１画素を、上述した画素１２０と同様な構成の複数の副画素、例えばＲ（赤）、
Ｇ（緑）、Ｂ（青）の３色の副画素や、これら３色に例えばＣ（シアン）を加えた４色の
副画素によって表現する構成としても良い。
さらに、液晶容量１３０はノーマリーホワイトモードとしたが、電圧無印加状態におい
て暗い状態となるノーマリーブラックモードとしても良い。なお、ノーマリーブラックモ
ードにおけるオフ表示は、黒色表示である。
【００４２】
くわえて、透過型に限られず、反射型や、両者の中間的な半透過半反射型であっても良
い。さらに、ＴＮ型のほか、ＳＴＮ型など、分子の長軸方向と短軸方向とで可視光の吸収
に異方性を有する染料（ゲスト）を一定の分子配列の液晶（ホスト）に溶解して、染料分
子を液晶分子と平行に配列させたゲストホスト型などの液晶を用いても良い。くわえて、
電圧無印加時には液晶分子が両基板に対して垂直方向に配列する一方、電圧印加時には液
晶分子が両基板に対して水平方向に配列する、という垂直配向（ホメオトロピック配向）
の構成や、いわゆるＩＰＳ（面内スイッチング方式、ＦＳＳを含む）方式としても良い。
【００４３】
＜電子機器＞
次に、上述した実施形態に係る電気光学装置１０を表示装置として有する電子機器につ
いて説明する。図１３は、実施形態に係る電気光学装置１０を用いた携帯電話１２００の
構成を示す斜視部である。
この図に示されるように、携帯電話１２００は、複数の操作ボタン１２０２のほか、受
話口１２０４、送話口１２０６とともに、上述した電気光学装置１０の表示領域１００を
備えるものである。なお、電気光学装置１０のうち、表示領域１００以外の構成要素につ
いては外観としては現れない。
【００４４】
なお、電気光学装置１０が適用される電子機器としては、図１３に示される携帯電話の
他にも、デジタルスチルカメラや、ノートパソコン、液晶テレビ、ビューファインダ型（
またはモニタ直視型）のビデオレコーダ、カーナビゲーション装置、ページャ、電子手帳
、電卓、ワードプロセッサ、ワークステーション、テレビ電話、ＰＯＳ端末、タッチパネ
ルを備えた機器等などが挙げられる。そして、これらの各種電子機器の表示装置として、
上述した電気光学装置が適用可能であることは言うまでもない。そして、いずれの電子機
器においても、電気光学装置１０による低消費電力化の恩恵を受けることになる。
【図面の簡単な説明】
【００４５】
【図１】本発明の第１実施形態に係る電気光学装置の構成を示す図である。
【図２】同電気光学装置の画素の構成を示す図である。
【図３】同電気光学装置における走査線駆動回路の構成を示す図である。
【図４】同走査線駆動回路による走査信号の波形を示す図である。
【図５】同電気光学装置におけるデータ線駆動回路の構成を示す図である。
【図６】同電気光学装置における表示画面の例を示す図である。
【図７】同電気光学装置における動作波形を示す図である。
【図８】同電気光学装置における画素電極の電位を示す図である。
【図９】本発明の第２実施形態に係る電気光学装置の構成を示す図である。
【図１０】同電気光学装置の動作波形を示す図である。
【図１１】本発明に適用可能な走査線駆動回路の別の構成を示す図である。
【図１２】同走査線駆動回路による走査信号の波形を示す図である。
【図１３】実施形態に係る電気光学装置を適用した電子機器の構成を示す図である。
【図１４】対比構成における動作波形を示す図である。
【図１５】対比構成における画素電極の電位を示す図である。
【符号の説明】
【００４６】
１０…電気光学装置、１１０…共通電極、１２０…画素、２１１…データ線、２３１…
画素電極、２４１…ＴＦＴ、２５０…データ線駆動回路、３１１…走査線、３５０…走査
線駆動回路、４００…走査制御回路、５００…コモン信号生成回路
【図１】
2007171323.tif 000003
【図２】
2007171323.tif 000004
【図３】
2007171323.tif 000005
【図４】
2007171323.tif 000006
【図５】
2007171323.tif 000007
【図６】
2007171323.tif 000008
【図７】
2007171323.tif 000009
【図８】
2007171323.tif 000010
【図９】
2007171323.tif 000011
【図１０】
2007171323.tif 000012
【図１１】
2007171323.tif 000013
【図１２】
2007171323.tif 000014
【図１３】
2007171323.tif 000015
【図１４】
2007171323.tif 000016
【図１５】
2007171323.tif 000017